【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
ビデオビットストリームに関連するビデオパラメータセットのための１つまたは複数の初期シンタックス要素を処理することと、ここにおいて、前記１つまたは複数の初期シンタックス要素が、前記ビデオパラメータセット中のどんな可変長シンタックス要素よりも前に位置する固定長シンタックス要素を備える、
前記ビデオパラメータセット中で、前記ビデオパラメータセットのためのオフセットシンタックス要素を受信することと、ここにおいて、前記オフセットシンタックス要素が、スキップされるべきである前記ビデオパラメータセット中のバイト数を識別し、ここにおいて、前記１つまたは複数の初期シンタックス要素が前記ビデオパラメータセット中の前記オフセットシンタックス要素に先行する、
前記オフセットシンタックス要素に基づいて、前記ビデオパラメータセット内のシンタックス要素をスキップすることと、
前記ビデオパラメータセット中の１つまたは複数の追加のシンタックス要素を処理することと、ここにおいて、前記１つまたは複数の追加のシンタックス要素が、前記ビデオパラメータセット中の前記スキップされるシンタックス要素の後に位置する、
を備える、方法。
【請求項２】
前記処理がメディアアウェアネットワーク要素（ＭＡＮＥ）によって実行され、前記方法が、前記ビデオデータをクライアントデバイスに転送することをさらに備える、請求項１に記載の方法。
【請求項３】
ビデオデータを処理する方法であって、前記方法は、
ビデオビットストリームに関連するビデオパラメータセットのための１つまたは複数の初期シンタックス要素を生成することと、ここにおいて、前記１つまたは複数の初期シンタックス要素が、前記ビデオパラメータセット中のどんな可変長シンタックス要素よりも前に位置する固定長シンタックス要素を備える、
前記ビデオパラメータセットのためのオフセットシンタックス要素を生成することと、ここにおいて、前記オフセットシンタックス要素が、スキップされるべきである前記ビデオパラメータセット中のバイト数を識別し、ここにおいて、前記１つまたは複数の初期シンタックス要素が前記ビデオパラメータセット中の前記オフセットシンタックス要素に先行する、
スキップされるべきである前記バイトに対応する、スキップされるべきシンタックス要素を生成することと、
前記ビデオパラメータセット中に１つまたは複数の追加のシンタックス要素を生成することと、ここにおいて、前記１つまたは複数の追加のシンタックス要素が、前記ビデオパラメータセット中でスキップされるべき前記シンタックス要素の後に位置する、
を備える、方法。
【請求項４】
前記スキップされるシンタックス要素、またはスキップされるべきシンタックス要素が、可変長コーディングを使用してコーディングされる１つまたは複数のシンタックス要素を備える、請求項１または請求項３に記載の方法。
【請求項５】
前記１つまたは複数の追加のシンタックス要素が追加の固定長シンタックス要素を備え、前記１つまたは複数の追加のシンタックス要素が、前記オフセットシンタックス要素に後続し、前記スキップされるシンタックス要素、またはスキップされるべきシンタックス要素に後続する、請求項１または請求項３に記載の方法。
【請求項６】
前記１つまたは複数の初期シンタックス要素が、セッションネゴシエーションに関係する情報を含むシンタックス要素を備える、請求項１または請求項３に記載の方法。
【請求項７】
前記１つまたは複数の初期シンタックス要素がビデオデータのベースレイヤのためのシンタックス要素を備え、前記１つまたは複数の追加のシンタックス要素がビデオデータの非ベースレイヤのためのシンタックス要素を備える、請求項１または請求項３に記載の方法。
【請求項８】
前記方法が、ビデオエンコーダによって実行される、請求項３に記載の方法。
【請求項９】
前記方法が、符号化ビデオデータを処理するように構成された後処理デバイスによって実行される、請求項３に記載の方法。
【請求項１０】
ビデオデータを復号する方法であって、前記方法は、
ビデオビットストリームに関連するビデオパラメータセットのための１つまたは複数の初期シンタックス要素を復号することと、ここにおいて、前記１つまたは複数の初期シンタックス要素が、前記ビデオパラメータセット中のどんな可変長シンタックス要素よりも前に位置する固定長シンタックス要素を備える、
前記ビデオビットストリーム中で、前記ビデオパラメータセットのためのオフセットシンタックス要素を受信することと、ここにおいて、前記オフセットシンタックス要素が、スキップされるシンタックス要素に対応することを識別し、ここにおいて、前記１つまたは複数の初期シンタックス要素が前記オフセットシンタックス要素に先行する、
スキップされるべき前記シンタックス要素を復号することと
を備える、方法。
【請求項１１】
前記スキップされるシンタックス要素が１つまたは複数の可変長シンタックス要素を備え、前記スキップされるシンタックス要素を復号することが、エントロピー復号プロセスを実行することを備える、請求項１０に記載の方法。
【請求項１２】
ビデオビットストリームに関連するビデオパラメータセットのための１つまたは複数の初期シンタックス要素を処理するための手段と、ここにおいて、前記１つまたは複数の初期シンタックス要素が、前記ビデオパラメータセット中のどんな可変長シンタックス要素よりも前に位置する固定長シンタックス要素を備える、
前記ビデオパラメータセット中で、前記ビデオパラメータセットのためのオフセットシンタックス要素を受信するための手段と、ここにおいて、前記オフセットシンタックス要素が、スキップされるべきである前記ビデオパラメータセット中のバイト数を識別し、ここにおいて、前記１つまたは複数の初期シンタックス要素が前記ビデオパラメータセット中の前記オフセットシンタックス要素に先行する、
前記オフセットシンタックス要素に基づいて前記ビデオパラメータセット内のシンタックス要素をスキップするための手段と、
前記ビデオパラメータセット中の１つまたは複数の追加のシンタックス要素を処理するための手段と、ここにおいて、前記１つまたは複数の追加のシンタックス要素が、前記ビデオパラメータセット中の前記スキップされるシンタックス要素の後に位置する、
を備えるビデオ処理デバイス。
【請求項１３】
ビデオ処理デバイスであって、
ビデオビットストリームに関連するビデオパラメータセットのための１つまたは複数の初期シンタックス要素を生成するための手段と、ここにおいて、前記１つまたは複数の初期シンタックス要素が、前記ビデオパラメータセット中のどんな可変長シンタックス要素よりも前に位置する固定長シンタックス要素を備える、
前記ビデオパラメータセットのためのオフセットシンタックス要素を生成するための手段と、ここにおいて、前記オフセットシンタックス要素が、スキップされるべきである前記ビデオパラメータセット中のバイト数を識別し、ここにおいて、前記１つまたは複数の初期シンタックス要素が前記ビデオパラメータセット中の前記オフセットシンタックス要素に先行する、
スキップされるべきである前記バイトに対応する、スキップされるべきシンタックス要素を生成するための手段と、
前記ビデオパラメータセット中に１つまたは複数の追加のシンタックス要素を生成するための手段と、ここにおいて、前記１つまたは複数の追加のシンタックス要素が、前記ビデオパラメータセット中でスキップされるべき前記シンタックス要素の後に位置する、
を備える、デバイス。
【請求項１４】
ビデオ処理デバイスであって、
ビデオビットストリームに関連するビデオパラメータセットのための１つまたは複数の初期シンタックス要素を復号するための手段と、ここにおいて、前記１つまたは複数の初期シンタックス要素が、前記ビデオパラメータセット中のどんな可変長シンタックス要素よりも前に位置する固定長シンタックス要素を備える、
前記ビデオビットストリーム中で、前記ビデオパラメータセットのためのオフセットシンタックス要素を受信するための手段と、ここにおいて、前記オフセットシンタックス要素が、スキップされるシンタックス要素に対応することを識別し、ここにおいて、前記１つまたは複数の初期シンタックス要素が前記オフセットシンタックス要素に先行する、
スキップされるべき前記シンタックス要素を復号するための手段と
を備える、方法。
【請求項１５】
実行されたとき、１つまたは複数のプロセッサに請求項１から１１のうちのいずれかに従って方法を行わせる命令を記憶したコンピュータ可読記憶媒体。